Podtech/llm-jp-corpus-v4-ja_patent huggingface dataset:
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
懸濁濃縮液製剤であって、式（Ｉ）
【化１】
2019529391.tif 000001
で表される化合物〔ここで、化合物（Ｉ）は、５．０μｍ未満の粒径Ｄｖ９０を有する〕
；及び、
（ｂ）  式（ＩＩ）
【化２】
2019529391.tif 000002
〔ここで、式（ＩＩ）で表される化合物において、
ｘ、ｚは、２〜１４０であり；及び、
ｙは、１５〜８０である〕
で表される少なくとも１種類のポリアルキレンオキシドブロックコポリマー；
の組み合わせを含んでいる、前記懸濁濃縮液製剤。
【請求項２】
化合物（Ｉ）が、１．０μｍ〜５．０μｍの粒径（Ｄｖ９０）を有することを特徴とする、請求項１に記載の懸濁濃縮液製剤。
【請求項３】
式（ＩＩ）で表される化合物が、７，０００〜１８，０００ｇ／ｍｏｌの分子量を有することを特徴とする、請求項１に記載の懸濁濃縮液製剤。
【請求項４】
式（ＩＩ）で表される化合物が、５０〜８５％のエチレンオキシド含有量を有することを特徴とする、請求項１に記載の懸濁濃縮液製剤。
【請求項５】
前記製剤が、
（ｃ）  １種類以上の非イオン性の界面活性剤若しくは分散助剤、及び／又は、少なくとも１種類のアニオン性の界面活性剤若しくは分散助剤；
（ｄ）  １種類以上のレオロジー改質剤；及び、
（ｅ）  消泡剤、殺生剤、不凍剤、着色剤、ｐＨ調節剤、緩衝剤、安定剤、結晶成長阻害剤又は微量栄養素を含む群から選択される１種類以上の別の製剤助剤；
を含んでいることを特徴とする、請求項１に記載の懸濁濃縮液製剤。
【請求項６】
１〜８００ｇ／Ｌの成分（ａ）を含んでいる、請求項１に記載の懸濁濃縮液製剤。
【請求項７】
３０〜５００ｇ／Ｌ（好ましくは、３５〜２００ｇ／Ｌ）の成分（ｂ）を含んでいる、請求項１に記載の懸濁濃縮液製剤。
【請求項８】
１〜８００ｇ／Ｌ（好ましくは、５〜５００ｇ／Ｌ）の成分（ｃ）を含んでいる、請求項１に記載の懸濁濃縮液製剤。
【請求項９】
請求項１又は５に記載の製剤を調製する方法であって、
・  第１段階において、約１００〜２５０ｇ／Ｌの水の一部分、レオロジー改質剤（ｄ）、殺生剤（ｅ）、５〜４０ｇ／Ｌのコポリマー（ｂ）を除く全てのコポリマー（ｂ）及び約０．５〜３ｇ／Ｌの消泡剤の一部分を混合させることによって、増粘剤ゲルを調製し；
・  第２段階において、残りの水の中で成分（ｄ）、成分（ｅ）及び５〜４０ｇ／Ｌの成分（ｂ）を混合させることによって、プレミルスラリーを調製し；
・  第３段階において、前記プレミルスラリーに成分（ａ）を添加し、そして、成分（ａ）の粒径が５０μｍ未満になるまでローターステーターミキサーを用いて混合させ；及び、
・  第４段階において、前記プレミルスラリーを、０．３〜０．７５ｍｍのビーズサイズを有する粉砕媒体（ｇ）を含んでいるビーズミルの中で粉砕し；及び、
・  第５段階において、混合しながら、第１段階で調製した前記増粘剤ゲルを添加する；
前記調製方法。
【請求項１０】
前記粉砕媒体（ｇ）が、ガラス、Ｚｒドープガラス、セラミック、Ｚｒシリケート、ＺｒＯ２（Ｙ２Ｏ３で安定化）、ＺｒＯ２（ＣｅＯ２で安定化）、ポリマー、架橋ポリスチレン又はスチールの群から選択されることを特徴とする、請求項９に記載の方法。
【請求項１１】
作物保護において線虫類を防除するために、請求項１に記載の懸濁濃縮液製剤を土壌又は植物に施用することを含んでいる方法。
【請求項１２】
殺線虫剤としての、請求項１に記載の懸濁濃縮液製剤の使用。
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
性ステロイド、カンナビノイド、又はそれらの組み合わせを含有する、神経変性状態の症状を治療するための局所投与組成物であって、
前記症状は、運動症状又は非運動症状であり、
被験者の前額部及び／又は外耳道を含まない外耳に投与される、組成物。
【請求項２】
前記前額部は、前髪の生え際、眼窩上隆起の上方、及び側頭隆起により取り囲まれる頭部領域を含む、請求項１に記載の組成物。
【請求項３】
前記外耳の領域は、耳甲介舟、耳甲介腔、対輪、耳輪脚、対輪脚、珠間切痕、及び耳介背面である、請求項１に記載の組成物。
【請求項４】
前記神経変性状態は、パーキンソン病、レビー小体型認知症、本態性振戦、多発性硬化症、寡動、ジストニア、運動失調、ハンチントン病、多系統萎縮症、ミオクローヌス、進行性核上性麻痺、レット症候群、痙縮、トゥレット症候群、筋萎縮性側索硬化症、ベル麻痺、眼部帯状疱疹、耳帯状疱疹、慢性の移植片対宿主病による神経変性、並びにウイルス性及び医原性の原因による神経変性からなる群から選択される、請求項３に記載の組成物。
【請求項５】
前記症状は、手、指、腕、頭、首、脚、足、眼、又は眼瞼の振戦、仮面様顔貌、筋固縮、平衡及び平衡感覚の喪失、足の引きずり、緩慢な動作、不制御運動、顔面筋制御の喪失、流涎、仮面顔貌、顔面麻痺、眼瞼の開閉不能、呼吸低下、声のボリューム調節不能、胃不全麻痺、便秘、頻尿、切迫感、失禁、涙液層分泌の低下、無まばたきにより起こる蒸発亢進型ドライアイ、眼瞼痙攣、並びにそれらの組み合わせからなる群から選択される運動症状である、請求項４に記載の組成物。
【請求項６】
前記症状は、認知機能障害、記憶障害、見当識障害、会話不能又は理解不能、精神的退化、会話の失敗又は乱雑な会話、実行機能障害、易怒性、人格変化、情動不安、不安、躁鬱、抑鬱、アパシー、衝動性、パラノイア、幻覚、及びそれらの組み合わせからなる群から選択される非運動症状である、請求項４に記載の組成物。
【請求項７】
前記組成物の投与は、１日当たり０．００１ｍｇ〜３０ｍｇの性ステロイドの用量をもたらす、請求項１に記載の組成物。
【請求項８】
前記性ステロイドは、エストロゲン、アンドロゲン、プレグネノロン、アロプレグナノロン、テストステロン、プロゲステロン、及びそれらの混合物からなる群から選択される、請求項７に記載の組成物。
【請求項９】
前記性ステロイドは、プロゲステロン、テストステロン、又はそれらの混合物である、請求項８に記載の組成物。
【請求項１０】
前記組成物の投与は、１日当たり０．００１ｍｇ〜１０ｍｇのカンナビノイドの用量をもたらす、請求項１に記載の組成物。
【請求項１１】
前記カンナビノイドは、ドロナビノール、カンナビノール、カンナビジオール、Δ９−テトラヒドロカンナビノール、Δ８−テトラヒドロカンナビノール、１１−ヒドロキシ−テトラヒドロカンナビノール、１１−ヒドロキシ−Δ９−テトラヒドロカンナビノール、レボナントラドール、Δ１１−テトラヒドロカンナビノール、テトラヒドロカンナビバリン、アナンダミド、ビローダミン、ノラジンエステル、２−アラキドノイルグリセロール、及びナビロンからなる群から選択される、請求項１０に記載の組成物。
【請求項１２】
前記カンナビノイドは、ドロナビノール、又はΔ９−テトラヒドロカンナビノールである、請求項１１に記載の方法。
【請求項１３】
前記組成物の投与は、１日当たり０．００１ｍｇ〜３０ｍｇの性ステロイド、及び１日当たり０．００１ｍｇ〜１０ｍｇのカンナビノイドの用量をもたらす、請求項１に記載の組成物。
【請求項１４】
前記性ステロイドは、プロゲステロン、テストステロン、又はそれらの組み合わせであり、かつ前記カンナビノイドは、ドロナビノール、又はΔ９−テトラヒドロカンナビノールである、請求項１３に記載の組成物。
【請求項１５】
前記性ステロイドは、プロゲステロン、テストステロン、又はそれらの組み合わせであり、かつ前記カンナビノイドは、ドロナビノール、又はΔ９−テトラヒドロカンナビノールである、請求項１に記載の組成物。
【請求項１６】
前記被験者は、前記神経変性状態のために既に薬理学的、外科的、電気的刺激、鍼、又は超音波治療を受けている、請求項１に記載の組成物。
【請求項１７】
前記組成物の局所投与は、前記神経変性状態の進行を遅らせる、請求項１に記載の組成物。
【請求項１８】
前記組成物は、ゲル剤、懸濁液剤、クリーム剤、液剤、軟膏剤、又は経皮パッチの形の医薬調剤である、請求項１に記載の組成物。
【請求項１９】
前記組成物は、単独投与後の少なくとも８時間にわたり前記症状の治療のために効果的である、請求項１〜１８のいずれか一項に記載の組成物。
【請求項２０】
前記外耳領域への電気的刺激を与えることと組み合わせられ、前記組成物は、該電気的刺激の効力を増強する、請求項１に記載の組成物。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
哺乳動物における中枢神経系（ＣＮＳ）疾患の治療薬を製造するためのｒＡＡＶ粒子及びベクターの使用であって、
前記ｒＡＡＶ粒子は、ＡＡＶカプシドタンパク質を含み、
前記ベクターは、一対のＡＡＶ末端逆位反復配列の間に挿入された、治療用タンパク質をコードする核酸を含み、
前記治療薬は、前記哺乳動物の非中枢神経系（ＣＮＳ）細胞、器官、又は組織への投与用であり、
前記投与は、前記非ＣＮＳ細胞、器官、又は組織が、前記哺乳動物の中枢神経系に治療用タンパク質が送達されている前記哺乳動物の循環中に前記治療用タンパク質を発現及び分泌するように、前記哺乳動物内の前記非ＣＮＳ細胞、器官、又は組織を感染させるのに有効な方式でなされる、使用。
【請求項２】
哺乳動物における中枢神経系（ＣＮＳ）疾患の治療薬を製造するためのｒＡＡＶ粒子及びベクターの使用であって、
前記ｒＡＡＶ粒子は、ＡＡＶカプシドタンパク質を含み、
前記ベクターは、一対のＡＡＶ末端逆位反復配列の間に防御性ＡｐｏＥアイソフォームをコードする核酸を含み、
前記治療薬は、前記哺乳動物の非中枢神経系（ＣＮＳ）細胞、器官、又は組織への投与用であり、
前記投与は、肝臓の細胞が、前記哺乳動物の中枢神経系に防御性ＡｐｏＥアイソフォームが送達されている前記哺乳動物の循環中に前記防御性ＡｐｏＥアイソフォームを発現及び分泌するように、前記哺乳動物内の前記肝臓の細胞を感染させるのに有効な方式でなされる、使用。
【請求項３】
哺乳動物における眼球の疾患の治療薬を製造するためのｒＡＡＶ粒子及びベクターの使用であって、
前記ｒＡＡＶ粒子は、ＡＡＶカプシドタンパク質を含み、
前記ベクターは、一対のＡＡＶ末端逆位反復配列の間に挿入された、治療用タンパク質をコードする核酸を含み、
前記治療薬は、前記哺乳動物の非眼球細胞、器官、又は組織への投与用であり、
前記投与は、前記非眼球細胞、器官、又は組織が、前記哺乳動物の眼球の器官又は組織に治療用タンパク質が送達されている前記哺乳動物の循環中に前記治療用タンパク質を発現及び分泌するように、前記哺乳動物内の前記非眼球細胞、器官、又は組織を感染させるのに有効な方式でなされる、使用。
【請求項４】
前記哺乳動物が、アルツハイマー病、リソソーム蓄積症、ニューロンセロイドリポフスチン沈着症（ＮＣＬ）、例えば幼児ＮＣＬ、遅発性幼児ＮＣＬ、若年性ＮＣＬ（バッテン病）、成人ＮＣＬ、又はムコ多糖症（例えば、ＭＰＳ  ＩＶ又はＭＰＳ  ＶＩＩ）等のうちの１つ若しくは複数の症状を有する、呈する、又はそれらを有するリスクに晒されている、請求項１〜３のいずれか一項に記載の使用。
【請求項５】
前記治療用タンパク質又は防御性ＡｐｏＥアイソフォームが、前記哺乳動物に有益な効果又は治療効果をもたらす量で発現される、請求項１〜４のいずれか一項に記載の使用。
【請求項６】
前記治療用タンパク質又は防御性ＡｐｏＥアイソフォームが、ＣＮＳ疾患の物理的、生理学的、ＣＮＳ／脳の病態生理学、生化学的、組織学的、又は行動学的特徴に対して、前記哺乳動物に有益な効果又は治療効果をもたらす量で発現される、請求項１〜４のいずれか一項に記載の使用。
【請求項７】
前記治療用タンパク質が、防御性ＡｐｏＥアイソフォームである、請求項１、３及び４のいずれか一項に記載の使用。
【請求項８】
前記防御性ＡｐｏＥアイソフォームが、ヒトＡｐｏＥε２と少なくとも７０％同一である、請求項５〜７のいずれか一項に記載の使用。
【請求項９】
前記治療用タンパク質が、ＴＰＰ１である、請求項１、３及び４のいずれか一項に記載の使用。
【請求項１０】
前記ＴＰＰ１が、ヒトＴＰＰ１と少なくとも７０％同一である、請求項９に記載の使用。
【請求項１１】
前記治療用タンパク質が、ＣＬＮ３、ＰＰＴ１、ＣＬＮ６、又はＣＬＮ８である、請求項１、３及び４のいずれか一項に記載の使用。
【請求項１２】
前記ＣＬＮ３、ＰＰＴ１、ＣＬＮ６、又はＣＬＮ８が、ヒトＣＬＮ３、ＰＰＴ１、ＣＬＮ６、又はＣＬＮ８と少なくとも７０％同一である、請求項１１に記載の使用。
【請求項１３】
前記治療用タンパク質が、ガラクトサミン−６−スルファターゼである、請求項１、３及び４のいずれか一項に記載の使用。
【請求項１４】
前記ガラクトサミン−６−スルファターゼが、ヒトガラクトサミン−６−スルファターゼと少なくとも７０％同一である、請求項１３に記載の使用。
【請求項１５】
前記治療用タンパク質が、β−グルクロニダーゼである、請求項１、３及び４のいずれか一項に記載の使用。
【請求項１６】
前記β−グルクロニダーゼが、ヒトβ−グルクロニダーゼと少なくとも７０％同一である、請求項１５に記載の使用。
【請求項１７】
前記治療用タンパク質をコードする核酸が、前記治療用タンパク質をコードするシトシン−グアニンジヌクレオチド（ＣｐＧ）が低減されていない核酸と比較して、ＣｐＧが低減されている、請求項１及び３〜４のいずれか一項に記載の使用。
【請求項１８】
前記ベクターが、イントロン、発現制御エレメント、フィラーポリヌクレオチド配列、及び／又はポリＡシグナルのうちの１つ若しくは複数、又はその組合せを更に含む、請求項１〜１７のいずれか一項に記載の使用。
【請求項１９】
一対のＩＴＲが、ＡＡＶ１、ＡＡＶ２、ＡＡＶ３、ＡＡＶ４、ＡＡＶ５、ＡＡＶ６、ＡＡＶ７、ＡＡＶ８、ＡＡＶ９、ＡＡＶ１０、ＡＡＶ１１、ＡＡＶ１２、ＬＫ０１、ＬＫ０２、ＬＫ０３、ＡＡＶ４−１、ＡＡＶ−２ｉ８のＩＴＲのうちのいずれかの配列又はその混合物に由来する又はそれを含む、請求項１〜１８のいずれか一項に記載の使用。
【請求項２０】
前記ＡＡＶカプシドタンパク質が、ＡＡＶ１、ＡＡＶ２、ＡＡＶ３、ＡＡＶ４、ＡＡＶ５、ＡＡＶ６、ＡＡＶ７、ＡＡＶ８、ＡＡＶ９、ＡＡＶ１０、ＡＡＶ１１、ＡＡＶ１２、ＬＫ０１、ＬＫ０２、ＬＫ０３、ＡＡＶ４−１、ＡＡＶ−２ｉ８のＩＴＲのうちのいずれかの配列又はその混合物に由来する又はそれを含む、請求項１〜１９のいずれか一項に記載の使用。
【請求項２１】
前記非ＣＮＳ細胞、器官、若しくは組織、又は非眼球細胞、器官、若しくは組織が、哺乳動物の内分泌細胞、器官、又は組織を含む、請求項１、２及び４〜２０のいずれか一項に記載の使用。
【請求項２２】
前記非ＣＮＳ細胞、器官、若しくは組織、又は非眼球細胞、器官、若しくは組織が、肝臓の細胞、肝臓又は肝臓の組織、及び膵臓の細胞、膵臓又は膵臓の組織を含む、請求項１、２及び４〜２０のいずれか一項に記載の使用。
【請求項２３】
前記非ＣＮＳ細胞、器官、若しくは組織、又は非眼球細胞、器官、若しくは組織が、肝臓の肝細胞又は膵島を含む、請求項１、２及び４〜２０のいずれか一項に記載の使用。
【手続補正書】
【提出日】令和2年6月25日(2020.6.25)
【手続補正１】
【補正対象書類名】特許請求の範囲
【補正対象項目名】請求項１
【補正方法】変更
【補正の内容】
【請求項１】
式（I）で表される化合物又はその薬学的に許容される塩であって、
【化１】
2019529364.tif 000001
式中、
ＸはＯ、Ｎ（Ｒ２）から選択され；
Ｒ２はＨ、Ｆ、Ｃｌ、Ｂｒ、Ｉ、ＯＨ、ＮＨ２、Ｒ３−Ｌ１−から選択され、或いは１、２又は３個のＲによって任意に置換されたＣ１−６アルキル、Ｃ１−６ヘテロアルキル、Ｃ３−６シクロアルキル、３〜６員ヘテロシクロアルキル、フェニル、５〜６員ヘテロアリールから選択され；
Ｒ３は１、２又は３個のＲによって任意に置換されたＣ３−６シクロアルキル、３〜６員ヘテロシクロアルキル、フェニル、５〜６員ヘテロアリールから選択され；
Ｌ１は−ＣＨ２−、−ＣＨ２ＣＨ２−、Ｏ、Ｓ、ＮＨ、−Ｃ（＝Ｏ）−から選択され；
ｎは１、２又は３から選択され；
Ｒ１はＨ、Ｆ、Ｃｌ、Ｂｒ、Ｉ、ＯＨ、ＮＨ２、ＣＯＯＨ、Ｒ４−Ｌ２−から選択され、或いは１、２又は３個のＲによって任意に置換されたＣ１−６アルキル、Ｃ１−６ヘテロアルキル、Ｃ２−６アルキルアルケニル、Ｃ３−６シクロアルケニル、３〜６員ヘテロシクロアルケニル、Ｃ３−６シクロアルキル、３〜６員ヘテロシクロアルキル、フェニル、５〜６員ヘテロアリールから選択され；
Ｒ４は１、２又は３個のＲによって任意に置換されたＣ３−６シクロアルキル、３〜６員ヘテロシクロアルキル、３〜６員ヘテロシクロアルケニル、フェニル、５〜６員ヘテロアリールから選択され；
Ｌ２は−ＣＨ２−、−ＣＨ２ＣＨ２−、Ｏ、Ｓ、ＮＨ、−Ｃ（＝Ｏ）ＮＨ−、−Ｃ（＝Ｏ）Ｏ−、−Ｃ（＝Ｏ）−から選択され；
ＲはＨ、ハロゲン、ＯＨ、ＮＨ２、ＣＮから選択され、或いは１、２又は３個のＲ’によって任意に置換されたＣ１−６アルキル、Ｃ１−６ヘテロアルキル、Ｃ３−６シクロアルキル、３〜６員ヘテロシクロアルキルから選択され；
Ｒ’はＨ、Ｆ、Ｃｌ、Ｂｒ、Ｉ、ＯＨ、ＣＮ、ＮＨ２、Ｍｅ、Ｅｔ、ＣＦ３、ＣＨＦ２、ＣＨ２Ｆ、ＮＨＣＨ３、Ｎ（ＣＨ３）２から選択され；
前記Ｃ１−６ヘテロアルキル、３〜６員ヘテロシクロアルキル、５〜６員ヘテロアリール、３〜６員ヘテロシクロアルケニルにおける「ヘテロ」は−Ｃ（＝Ｏ）ＮＨ−、−ＮＨ−、−Ｃ（＝ＮＨ）−、−Ｓ（＝Ｏ）２ＮＨ−、−Ｓ（＝Ｏ）ＮＨ−、−Ｏ−、−Ｓ−、＝Ｏ、＝Ｓ、−Ｏ−Ｎ＝、−Ｃ（＝Ｏ）Ｏ−、−Ｃ（＝Ｏ）−、−Ｃ（＝Ｓ）−、−Ｓ（＝Ｏ）−、−Ｓ（＝Ｏ）２−、及び−ＮＨＣ（＝Ｏ）ＮＨ−から選択され； 
以上のいずれの場合でも、ヘテロ原子又はヘテロ原子団の数はそれぞれ独立して１、２又は３から選択される化合物又はその薬学的に許容される塩。
【手続補正２】
【補正対象書類名】特許請求の範囲
【補正対象項目名】請求項２３
【補正方法】変更
【補正の内容】
【請求項２３】
ＰＤＥ４関連症状の治療医薬の製造における請求項１〜２１のいずれか１項に記載の化合物又はその薬学的に許容される塩、又は請求項２２に記載の組成物の使用。
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
ミトコンドリア活性を増加させることにより持久運動能力を向上させるためのコラーゲン加水分解物を含む組成物。
【請求項２】
ミトコンドリア活性を増加させることにより脂質代謝を刺激するためコラーゲン加水分解物を含む組成物。
【請求項３】
ミトコンドリア活性を増加させることにより体重を減少させるためのコラーゲン加水分解物を含む組成物。
【請求項４】
非治療的使用のための、請求項１〜３のいずれか一項に記載の組成物。
【請求項５】
前記非治療的使用は美容的使用である、請求項４に記載の組成物。
【請求項６】
ミトコンドリア活性の減少により特徴づけられる病的状態を予防および／または治療するための、請求項１〜３のいずれか一項に記載の組成物。
【請求項７】
持久運動能力の低下および／または体重の増加により特徴づけられる病的状態を予防および／または治療するための、請求項１または２に記載の組成物。
【請求項８】
前記病的状態が、肥満、心血管疾患、心不整脈、心不全、低血圧、高血圧、代謝障害、糖尿病、メタボリック・シンドローム、鉄芽球性貧血、腎臓および肝臓の機能不全、神経障害、運動失調、てんかん発作、認知症、アルツハイマー病、自閉症、うつ病、慢性疲労症候群、パーキンソン病、運動ニューロン疾患、多発性硬化症、脳卒中様症状、頭痛、ミオクローヌス、麻痺、神経痛、痛覚過敏、知覚過敏、嚥下障害、嘔吐、便秘、下痢、視神経線維や網膜の変性、眼振、眼瞼下垂、夜盲症、聴力喪失、難聴および内耳障害から選択される、請求項６又は７に記載の組成物。
【請求項９】
コラーゲン加水分解物が腸内投与される、請求項１〜８のいずれか一項に記載の組成物。
【請求項１０】
コラーゲン加水分解物が栄養補助剤の形で投与される、請求項９に記載の組成物。
【請求項１１】
前記栄養補助剤が、コラーゲン加水分解物以外に、更なるタンパク質またはタンパク質加水分解物を含まない、請求項１０に記載の組成物。
【請求項１２】
前記栄養補助剤が、コラーゲン加水分解物以外に、更なる生理学的活性成分を含まない、請求項１０または１１に記載の組成物。
【請求項１３】
前記コラーゲン加水分解物が１〜40 g／日の量で投与される、請求項９〜１２のいずれか一項に記載の組成物。
【請求項１４】
前記コラーゲン加水分解物が、ビタミンＣ、Ｂ、Ｄ、ＥおよびＫ型のビタミン類、共益リノレイン酸、カフェインおよびその誘導体、ガラナ抽出物、緑茶抽出物、エピガロカテキン没食子酸塩、クレアチン、Ｌ−カルニチン、Ｌ−シトルリン、Ｌ−アルギニン、α−リポ酸、Ｎ−アセチルシステイン、NADH、Ｄ−リボース、アスパラギン酸マグネシウム、抗酸化剤、例えばアントシアニン、カロチノイド、フラボノイド、レスベラトロール、グルタチオン、スーパーオキシドジスムターゼおよびキサンタン、例えばマンギフェリン、ミネラル類、例えば鉄、マグネシウム、カルシウム、亜鉛、セレンおよびリン、並びに追加のタンパク質、加水分解物またはペプチド、例えば大豆、小麦もしくは乳清タンパク質から選択される１つ以上の成分と組み合わされる、請求項１〜１１または１３のいずれか一項に記載の組成物。
【請求項１５】
前記コラーゲン加水分解物が、50〜100 mg／日の量で投与されるユビキノン-10および／またはユビキノールと、および／またはピロロキノリンキノン（PQQ）と組み合わされる、請求項１〜１１、１３または１４のいずれか一項に記載の組成物。
【請求項１６】
前記コラーゲン加水分解物の投与が、持久力トレーニングまたは高地トレーニングと組み合わされる、請求項１〜１５のいずれか一項に記載の組成物。
【請求項１７】
前記コラーゲン加水分解物の投与が、持久力トレーニング、高地トレーニングまたは筋肉トレーニングの非存在下で行われる、請求項１〜１５のいずれか一項記載の組成物。
【請求項１８】
前記コラーゲン加水分解物が、200〜25,000 Daの平均分子量を有する、請求項１〜１７のいずれか一項記載の組成物。
【請求項１９】
前記コラーゲン加水分解物が、コラーゲンを含む出発材料の酵素的加水分解により生産される、請求項１〜１８のいずれか一項記載の組成物。
【請求項２０】
前記コラーゲンを含む出発材料が、脊椎動物の皮膚または骨から選択される、請求項１９に記載の組成物。
【請求項２１】
前記コラーゲン加水分解物が組換え遺伝子発現により生産される、請求項１〜１８のいずれか一項に記載の組成物。
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
複数の抗体を含んだ混合物から抗体の量を定量する方法であって、前記方法は、
疎水性相互作用クロマトグラフィ高速液体クロマトグラフィ（ＨＩＣ−ＨＰＬＣ）を使用して前記混合物中の前記複数の抗体のそれぞれを分離することと、
前記混合物中の各抗体の量を定量することと
を含み、前記混合物中の各抗体の分子量は、前記混合物中の他の抗体の分子量の１５ｋＤａ以内であり、ＨＩＣ−ＨＰＬＣで個々に分析される場合、前記混合物中の各抗体は、前記混合物中の別の抗体とは異なる分析時間で溶出し、前記混合物中の前記複数の抗体は、ヒト患者における感染症を治療するように構成されている、方法。
【請求項２】
前記混合物中の第１の抗体はＨＩＣ−ＨＰＬＣ分析の間の第１の分析時間で溶出し、前記混合物中の第２の抗体はＨＩＣ−ＨＰＬＣ分析の間の第２の分析時間で溶出し、前記第１の分析時間および前記第２の分析時間は重複していない、請求項１に記載の方法。
【請求項３】
前記ＨＩＣ−ＨＰＬＣは、約ｐＨ５．０〜約ｐＨ７．０の緩衝液中で行われる、請求項１又は２に記載の方法。
【請求項４】
前記複数の抗体は３つの抗体を含む、請求項１〜３のいずれか一項に記載の方法。
【請求項５】
前記混合物中の各抗体の表面疎水性は、タンパク質構造または構造的モデルに基づいて算出される表面疎水性、硫酸アンモニウムまたはＰＥＧ８０００中の溶解性についての高速スクリーニング、あるいは親和性捕捉自己相互作用ナノ粒子分光法（ＡＣ−ＳＩＮＳ）による分子相互作用についての高速スクリーニングからなる群から選択される１つ以上の方法によって判定される、請求項１〜４のいずれか一項に記載の方法。
【請求項６】
前記混合物中の第１の抗体および前記混合物中の第２の抗体は少なくとも９０％相同なタンパク質配列を有するか、
前記第１の抗体および前記第２の抗体は、これらのタンパク質配列によって判定される場合に少なくとも９０％相同なタンパク質構造を有するか、あるいは、
前記第１の抗体および前記第２の抗体は、これらのタンパク質配列によって判定される場合に互いに約０．６以内の等電点（ｐＩ）を有する、請求項１〜５のいずれか一項に記載の方法。
【請求項７】
前記混合物中の前記抗体のうちの１つ以上はモノクローナル抗体であり、特にヒトモノクローナル抗体である、請求項１に記載の方法。
【請求項８】
前記混合物中の前記抗体のうちの２つ以上は同じアイソタイプであるか、互いの変異体であり、且つ／又は同じ抗原に結合する、請求項１〜７のいずれか一項に記載の方法。
【請求項９】
前記混合物は合剤組成物であり、特に前記合剤組成物は、ヒト患者におけるＭＥＲＳ、ヒト患者におけるエボラ出血熱、及び／又はヒト患者における黄斑変性症を治療するように構成されている、請求項１〜８のいずれか一項に記載の方法。
【請求項１０】
前記合剤組成物は医薬製品中に含まれる、請求項９に記載の方法。
【請求項１１】
前記ＨＩＣ−ＨＰＬＣからクロマトグラフを生成することをさらに含み、前記混合物中の各抗体の溶出に対して、前記クロマトグラフは、前記クロマトグラフ中の他のピークとは重複しないピークを示す、請求項１〜１０のいずれか一項に記載の方法。
【請求項１２】
複数の抗体を含んだ混合物から抗体の量を定量する方法であって、前記方法は、
疎水性相互作用クロマトグラフィ高速液体クロマトグラフィ（ＨＩＣ−ＨＰＬＣ）を使用して前記混合物中の前記複数の抗体のそれぞれを分離することであって、前記混合物は、ヒト患者におけるウイルス感染を治療するように構成された合剤組成物であり、前記混合物中の各抗体の分子量は、前記混合物中の別の各抗体の分子量の１５ｋＤａ以内であることと、
前記混合物中の各抗体の量を定量することと、
前記ＨＩＣ−ＨＰＬＣからクロマトグラフを生成することと
を含み、前記混合物中の各抗体の溶出に対して、前記クロマトグラフは、前記クロマトグラフ中の他のピークとは重複しないピークを示す、方法。
【請求項１３】
前記混合物中の各抗体は、ウイルスのスパイクタンパク質に対するものである、請求項１〜１１のいずれか一項に記載の方法。
【請求項１４】
前記スパイクタンパク質は、エボラウイルス又はコロナウイルスのスパイクタンパク質である、請求項１３に記載の方法。
【請求項１５】
前記ウイルス感染は、エボラウイルス感染、コロナウイルス感染、又はジカウイルス感染である、請求項１２に記載の方法。
【請求項１６】
前記合剤組成物は２つ又は３つの抗体を含む、請求項１２又は１５に記載の方法。
【請求項１７】
前記抗体はヒトモノクローナル抗体である、請求項１６に記載の方法。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
配列ＩＤ番号３のＶＨ‐ＣＤＲ１アミノ酸配列、配列ＩＤ番号２６のＶＨ‐ＣＤＲ２アミノ酸配列、及び配列ＩＤ番号５のＶＨ‐ＣＤＲ３アミノ酸配列を含む重鎖可変領域（ＶＨ）、並びに
配列ＩＤ番号６のＶＬ‐ＣＤＲ１アミノ酸配列、配列ＩＤ番号７のＶＬ‐ＣＤＲ２アミノ酸配列、及び配列ＩＤ番号２７のＶＬ‐ＣＤＲ３アミノ酸配列を含む軽鎖可変領域（ＶＬ）を含む、
ヒトＴｉｍ−３に結合することが可能なヒト化抗体。
【請求項２】
ＣＤＲに１つ以上の保存的な置換を含む、請求項１に記載の抗体。
【請求項３】
（ｉ）配列ＩＤ番号２８のアミノ酸配列と少なくとも９５％、９６％、９７％、９８％、９９％又は１００％の配列同一性を有する重鎖可変領域、及び配列ＩＤ番号３６のアミノ酸配列と少なくとも９５％、９６％、９７％、９８％、９９％又は１００％の配列同一性を有する軽鎖可変領域、又は
（ｉｉ）配列ＩＤ番号２８のアミノ酸配列と少なくとも９５％、９６％、９７％、９８％、９９％又は１００％の配列同一性を有する重鎖可変領域、及び配列ＩＤ番号３０のアミノ酸配列と少なくとも９５％、９６％、９７％、９８％、９９％又は１００％の配列同一性を有する軽鎖可変領域を含む、
請求項１に記載の抗体。
【請求項４】
（ｉ）配列ＩＤ番号２８に対して１つ以上の保存的な置換が起こったものからなる重鎖可変領域、及び配列ＩＤ番号３６に対して１つ以上の保存的な置換が起こったものからなる軽鎖可変領域、又は
（ｉｉ）配列ＩＤ番号２８に対して１つ以上の保存的な置換が起こったものからなる重鎖可変領域、及び配列ＩＤ番号３０に対して１つ以上の保存的な置換が起こったものからなる軽鎖可変領域を含む、
請求項１に記載の抗体。
【請求項５】
（ｉ）配列ＩＤ番号２８のアミノ酸配列を含む重鎖可変領域、及び配列ＩＤ番号３６のアミノ酸配列を含む軽鎖可変領域、又は
（ｉｉ）配列ＩＤ番号２８のアミノ酸配列を含む重鎖可変領域、及び配列ＩＤ番号３０のアミノ酸配列を含む軽鎖可変領域を含む、
請求項１に記載の抗体。
【請求項６】
Ｆａｂ、Ｆ（ａｂ'）２、Ｆｖ、又は単鎖Ｆｖ（ＳｃＦｖ）である、請求項１に記載の抗体。
【請求項７】
ＩｇＧ１、ＩｇＧ２、ＩｇＧ３、ＩｇＧ４又はそれらの変異体のサブクラスの重鎖定常領域、及びカッパ若しくはラムダ又はそれらの変異体の軽鎖定常領域を含む、請求項１に記載の抗体。
【請求項８】
ＩｇＧ１、ＩｇＧ２、ＩｇＧ３、又はＩｇＧ４のサブクラスの変異型重鎖定常領域を含み、該変異型重鎖定常領域が効果器機能の減少又は排除をもたらす、請求項７に記載の抗体。
【請求項９】
前記効果器機能が抗体依存性細胞媒介性細胞傷害（ＡＤＣＣ（Antibody-Dependent Cell-Mediated Cytotoxicity））又は補体依存性細胞傷害（ＣＤＣ（Complement-Dependent Cytotoxicity））である、請求項８に記載の抗体。
【請求項１０】
ヒトＩｇＧ１の重鎖定常領域又はその変異体を含む、請求項７に記載の抗体。
【請求項１１】
前記ヒトＩｇＧ１の変異型重鎖定常領域がＥ２３３Ｐ、Ｌ２３４Ａ、Ｌ２３５Ａ、Ｌ２３６Ａ及びＰ３２９Ａからなる群より選択される１つ以上の突然変異を含む、請求項１０に記載の抗体。
【請求項１２】
前記変異型ヒトＩｇＧ１重鎖定常領域が配列ＩＤ番号２１のアミノ酸配列、及びヒトＩｇＧ１カッパ軽鎖定常領域を含む、請求項１１に記載の抗体。
【請求項１３】
請求項１〜１２のいずれかに記載の抗体、及び薬学的に許容可能な賦形剤を含む医薬組成物。
【請求項１４】
癌若しくは腫瘍又は感染症を治療する用途の、請求項１〜１１のいずれかに記載の抗体。
【請求項１５】
前記癌が肺癌、肝臓癌、胃癌、子宮頸癌、黒色腫、腎臓癌、乳癌、大腸癌、白血病、リンパ腫、卵巣癌、頭頸部癌、又は癌の転移性病変から選択される、請求項１４に記載の用途の抗体。
【請求項１６】
前記抗体が第２の治療薬又は処置との組み合わせで投与され、該第２の治療薬又は処置が化学療法、標的療法、腫瘍溶解薬、細胞傷害剤、免疫療法、サイトカイン、外科的処置、放射線処置、共刺激性分子の活性化剤、阻害性分子の阻害剤、ワクチン、又は細胞性免疫療法から選択される、請求項１４に記載の用途の抗体。
【請求項１７】
前記抗体がＰＤ−１、ＰＤ−Ｌ１、ＰＤ−Ｌ２、ＣＴＬＡ−４、ＬＡＧ−３、ＣＥＡＣＡＭ−１、ＣＥＡＣＡＭ−５、ＶＩＳＴＡ、ＢＴＬＡ、ＴＩＧＩＴ、ＬＡＩＲ１、ＣＤ１６０、２Ｂ４、又はＴＧＦＲから選択される免疫チェックポイント分子の阻害剤との組み合わせで投与される、請求項１４に記載の用途の抗体。
【請求項１８】
前記抗体が抗ＰＤ−１ｍＡｂ、３１７−４Ｂ６又は３１７−４Ｂ６／ＩｇＧ４ｍｔ１０との組み合わせで投与される、請求項１４に記載の用途の抗体。
【請求項１９】
前記感染症がＨＩＶ感染及びＨＣＶ感染から選択される慢性的なウイルス感染症である、請求項１４に記載の用途の抗体。
【手続補正２】
【補正対象書類名】明細書
【補正対象項目名】発明の名称
【補正方法】変更
【補正の内容】
【発明の名称】抗Ｔｉｍ−３抗体
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
式（Ｉ）の化合物、およびそのエナンチオマー、そのジアスレレオマー、ならびにその塩。
【化１】
2019529359.tif 000001
（式中、
Ｒ１およびＲ２は、独立して、ＨまたはＣ１−Ｃ４アルキル、
Ｘ１およびＸ２は独立して、Ｈ、Ｃ１−Ｃ４アルキル、Ｃ１−Ｃ４アルコキシもしくはハロゲン、またはＸ１およびＸ２が結合しているフェニル環と共にＸ１およびＸ２が一緒になってナフチル環を形成し得、
Ｙは、ＨまたはＯＨであり、
Ｃ１−Ｃ４アルキルおよびＣ１−Ｃ４アルコキシは、任意に置換され得る。）
【請求項２】
Ｒ１およびＲ２は共に水素である、請求項１に記載の化合物。
【請求項３】
ＹはＨである、請求項１または２に記載の化合物。
【請求項４】
Ｘ１およびＸ２は、ハロアルキルまたはヒドロキシアルキルである、請求項１〜３のいずれか１項に記載の化合物。
【請求項５】
Ｘ１およびＸ２は、−Ｆ、−Ｃｌ、−ＯＭｅ、−ＯＨ、−ＣＦ３および−ＣＨ２ＯＨから選択される、請求項１〜４のいずれか１項に記載の化合物。
【請求項６】
【化２−１】
2019529359.tif 000002
【化２−２】
2019529359.tif 000003
から選択される化合物。
【請求項７】
対象の疾患の治療用であって、
前記対象に投与される量は、有効量であり、
前記疾患は、眼疾患、骨障害、肥満、心臓病、肝疾患、腎疾患、膵炎、癌、心筋梗塞、胃障害、高血圧症、不妊、発毛障害、鼻詰まり、神経因性膀胱障害、胃腸障害、皮膚障害および呼吸器適応症の少なくとも１つを含む、
請求項１〜６のいずれか１項に記載の化合物。
【請求項８】
前記疾患は、眼疾患を含む、請求項７に記載の化合物。
【請求項９】
前記眼疾患は、緑内障または神経変性眼疾患を含む、請求項８に記載の化合物。
【請求項１０】
前記疾患は、喘息、慢性気管支炎、気管支痙攣、気腫および気道閉塞から選択される呼吸器適応症を含む、請求項７に記載の化合物。
【請求項１１】
前記呼吸器適応症は、喘息を含む、請求項１０に記載の化合物。
【請求項１２】
請求項１〜１１のいずれか１項に記載の化合物と担体とを含む組成物。
【請求項１３】
前記担体は、ｐＨ約５．５〜約６．５に緩衝化された生理食塩水である、請求項１２に記載の組成物。
【請求項１４】
キナーゼ活性を調節するのに有効な量の、請求項１〜１１のいずれか１項に記載の化合物と細胞を接触させることを含む、キナーゼ活性を調節する方法。
【請求項１５】
前記細胞は対象にある、請求項１４に記載の方法。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
グリッパーロボット（３）によって物体（１）を箱に自動的に装填するための方法において、以下の連続工程が自動的にかつ繰り返し実施されることを特徴とする方法：
（ａ）グリッパーロボット（３）によって、物体（１）を、箱（４）中の箱装填計画によって規定された位置に配置すること；
（ｂ）一つ以上の物体を含む箱（４）の少なくとも一つのデジタル画像を取得すること；及び
（ｃ）前の工程で得られたデジタル画像において、工程（ａ）で配置された物体が正確に配置されているかどうかを自動的にチェックし、肯定的であれば次の工程に進み、否定的であれば正確に配置されなかった物体をグリッパーロボット（３）によって除去し、その除去された物体で工程（ａ）のプロセスを繰り返すこと。
【請求項２】
次の物体（１）が、特に物体（１）のＣＡＤデジタルモデルを使用して、箱装填計画に従って箱（４）中に配置されることができるかどうかをデジタル的にチェックし、否定的であれば装填プロセスを停止し、肯定的である場合、もし箱が満杯でないなら、工程（ａ）のプロセスを新しい物体で繰り返す、追加の工程（ｄ）が実施される、請求項１に記載の方法。
【請求項３】
工程（ａ）の前に、空の箱（４）の少なくとも一つのデジタル画像を取得し、箱のデジタル画像を使用することによって箱の適合性を自動チェックし、もし箱が適合するなら、グリッパーロボット（３）による箱への装填を継続し、もし箱が適合しないなら、箱を新しい箱に置き換える、請求項１又は２に記載の方法。
【請求項４】
箱の適合性の自動チェックが、箱のデジタル画像を使用すること、及び箱の装填計画をデジタル的にシミュレートすることによって実施される、請求項３に記載の方法。
【請求項５】
物体（１）を箱（４）内で互いの上に積み重ねる、請求項１〜４のいずれかに記載の方法。
【請求項６】
グリッパーロボット（３）、空の箱又は少なくとも一つの物体（１）を含む箱の少なくとも一つのデジタル画像を取得するためのセンサー（６）、及びグリッパーロボット（３）を制御するように設計された電子制御装置（５）を含む、請求項１〜５のいずれかに記載の方法を実施するため自動装填システム。
【請求項７】
グリッパーロボット（３）の電子制御装置（５）によって実行されるとき、請求項１又は２に記載の方法の工程を少なくとも実施するように適応されたプログラム指示コードを含むコンピュータープログラム製品。
【請求項８】
グリッパーロボット（３）の電子制御装置（５）によって実行されるとき、空の箱（４）の少なくとも一つのデジタル画像を取得し、箱のデジタル画像を使用することによって箱の適合性を自動チェックし、もし箱が適合するなら、グリッパーロボット（３）による装填のプロセスを継続し、もし箱が適合しないなら、箱（４）の装填を停止するように適応された、請求項７に記載のコンピュータープログラム製品。
【請求項９】
箱のデジタル画像を使用すること、及び箱装填計画をデジタル的にシミュレートすることによって箱の適合性の自動チェックを実施するように適応された、請求項８に記載のコンピュータープログラム製品。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
印刷装置に用いるためのパレット上に設けられ、導電性表面を有する矩形状のフレームを見当合わせするためのインジケータシステムであって、
上面及び下面を有する非導電性材料から形成されたパレット支持部と、
前記支持部の第１の端に接続され、前記支持部の上面から上方へ延びており、かつ、前記フレームの前記導電性表面の第１の部分と接触することで、電子回路の第１部を形成するための固定の導電性接触面を有する第１のストップと、
前記支持部の第２の端に接続され、前記支持部の上面から上方へ延びており、かつ、前記フレームの前記導電性表面の第２の部分と接触することで、前記電子回路の第２部を形成するための固定の導電性接触面を有する第２のストップと、
前記第１のストップと前記第２のストップとを接続する導電要素と、
完全な電子回路を形成するために、前記第１のストップの前記導電性接触面が、前記フレームの前記第１の部分と直接接触し、かつ、前記第２のストップの前記導電性接触面が、前記フレームの前記第２の部分と直接接触するとき、指示を提供する前記第２のストップの上に設けられている第１のインジケータと、
を備えるシステム。
【請求項２】
前記第１のインジケータがＬＥＤである、請求項１に記載のシステム。
【請求項３】
前記第１のインジケータが可聴警告である、請求項１に記載のシステム。
【請求項４】
前記第２のストップの近傍の前記支持部に接続される第３のストップをさらに備え、
前記第３のストップは、前記支持部の上面から上方へ延びており、かつ、前記フレームの前記導電性表面の第３の部分と接触するための固定の導電性接触面を有し、
前記第３のストップは、前記第３のストップの上に設けられた第２のインジケータを含む、
請求項１に記載のシステム。
【請求項５】
前記導電要素が、前記第１のストップを前記第２のストップに接続するプレートである、請求項１に記載のシステム。
【請求項６】
前記導電要素が前記支持部に組み込まれる、請求項５に記載のシステム。
【請求項７】
前記導電要素が電線である、請求項１に記載のシステム。
【請求項８】
前記第１のストップ及び前記第２のストップと離間しているリモートインジケータをさらに備える、請求項１に記載のシステム。
【請求項９】
適正な見当合わせを確実なものにするためのインジケータシステムであって、
互いに電気的に結合される複数のストップと、
前記複数のストップのいずれか１つの上に設けられたインジケータと、
を備え、
前記複数のストップの各々は、フレームの一部と直接接触するための固定の導電性接触面を含み、
前記インジケータは、完全な回路が前記ストップのうちの少なくとも２つとフレームにより形成されるときに作動される、システム。
【請求項１０】
前記インジケータがライトである、請求項９に記載のシステム。
【請求項１１】
前記インジケータが可聴警告である、請求項９に記載のシステム。
【請求項１２】
前記複数のストップと前記第１のインジケータが印刷パレットに接続される、請求項９に記載のシステム。
【請求項１３】
前記複数のストップの各々は、前記複数のストップの各々の上に設けられたインジケータを含む、請求項９に記載のシステム。
【請求項１４】
フレームを見当合わせするためのインジケータシステムを有する印刷装置であって、
フレームを受け入れるための支持面と、
前記支持面に接続されており、かつ、前記フレームの表面の第１の部分と直接接触するための、固定の導電性接触面を有する第１のストップと、
前記支持面に接続され、前記第１のストップに電気的に結合されており、かつ、前記フレームの前記表面の第２の部分と直接接触するための、固定の導電性接触面を有する第２のストップと、
前記第１のストップの上に設けられた第１のインジケータ、及び前記第２のストップの上に設けられた第２のインジケータと、を備え、
前記第１のインジケータ及び前記第２のインジケータは、前記第１のストップと、前記第２のストップと、前記第１のストップ及び前記第２のストップとともに回路を形成するためのフレームとの間に回路が形成されるときに作動される、装置。
【請求項１５】
印刷動作を制御するために前記装置に結合されるコントローラをさらに備え、
前記コントローラは、前記第１のストップ及び前記第２のストップに電気的に結合され、前記第１のインジケータが作動されない場合に印刷動作を防ぐように構成される、請求項１４に記載の装置。
【請求項１６】
前記第１のインジケータがライトである、請求項１４に記載の装置。
【請求項１７】
前記第１のインジケータが可聴警告である、請求項１４に記載の装置。
【請求項１８】
前記第１のストップに電気的に結合された第３のストップと、前記第３のストップの上に設けられており、かつ、前記フレームの前記表面の第３の部分と直接接触するための、固定の導電性接触面を有する第３のインジケータとをさらに備える、請求項１４に記載の装置。
【請求項１９】
前記コントローラがディスプレイに結合され、前記ディスプレイがリモートインジケータとして機能する、請求項１５に記載の装置。
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
ダクトに配置された織布ライナスリーブ内に少なくとも部分的に挿入可能であり、前記ダクトの中のその位置で前記ライナスリーブを加熱して前記ライナスリーブの熱可塑性材料を融解して、融解された前記熱可塑性材料の続く冷却の際に、前記ダクトに剛性ライナを形成することが可能であるピグであって、前記ピグは、
加圧ガスを受容するためのガス注入口と、
前記加圧ガスが加熱される加熱チャンバと、
前記加熱チャンバで加熱された加圧ガスを前記織布ライナスリーブに送出可能であるガス排出口と、を備え、
前記ピグは、加圧ガスを前記加熱チャンバの中へ送出可能である、前記加熱チャンバに配置されるツリーディフューザを備え、
前記ツリーディフューザは、各々少なくとも１つのガス送出開口部を備える複数の枝管を有し、各枝管は前記ツリーディフューザの幹部分から外側に延在することを特徴とする、ピグ。
【請求項２】
前記ツリーディフューザの前記枝管は、複数の枝管のセットで形成されており、第１の枝管のセットは、各々、第１の直径の管腔を有し、第２の枝管のセットは、各々、前記第１の直径よりも小さな第２の直径の管腔を有する、請求項１に記載のピグ。
【請求項３】
複数の管の前記セットは、各々前記第２の直径よりも小さい第３の直径の管腔を有する第３の枝管のセットを備える、請求項２に記載のピグ。
【請求項４】
前記第３のセットの前記枝管は、前記第１のセットの前記枝管よりも多数であり、前記第２のセットの前記枝管よりも多数である、請求項３に記載のピグ。
【請求項５】
前記第１のセットおよび前記第２のセットの各枝管は、前記ツリーディフューザの前記幹部分から最も遠い閉鎖遠位端部と、前記枝管の中心軸に垂直な方向に加圧ガスを前記加熱チャンバに送出可能である、その長さに沿った複数のガス送出開口部とを有し、
前記第３のセットの各枝管は、前記枝管の中心軸と位置合わせされた方向に加圧ガスを前記加熱チャンバに送出可能である、前記枝管の開放端部によって提供される送出開口部を有する、請求項３または請求項４に記載されたピグ。
【請求項６】
前記加熱チャンバは、円筒形であり中心軸を有し、前記ツリーディフューザの前記幹部分は、前記中心軸と位置合わせされており、前記枝管は、前記幹部分から径方向外側に延在する、請求項１から５のいずれか１項に記載のピグ。
【請求項７】
前記第１のセットおよび前記第２のセットの前記枝管は、前記加熱チャンバの内向き円筒形表面に向かって、前記ツリーディフューザの前記幹部分と前記加熱チャンバの前記内向き円筒形表面との間の距離の大部分にわたって延在する、請求項２〜５のいずれか１項に従属するときの請求項６に記載のピグ。
【請求項８】
前記第１のセットおよび前記第２のセットの前記枝管は、前記第３のセットの前記枝管よりも前記幹部分から径方向にさらに離れるように延在する、請求項３〜５のいずれか１項に従属するときの請求項６に記載のピグ。
【請求項９】
前記第１のセットおよび前記第２のセットの前記枝管は、前記加熱チャンバの内向き円筒形表面に向かって、前記ツリーディフューザの前記幹部分と前記加熱チャンバの前記内向き円筒形表面との間の距離の大部分にわたって延在する、請求項８に記載のピグ。
【請求項１０】
各枝管は、同一の管腔直径の幹部分管と接続され、または一体的に形成されており、
前記ピグは、すべての前記幹部分管を取り囲んで包み込む加熱チャンバ注入口管を備え、
その中の前記加熱チャンバ注入口管および前記幹部分管は、前記ガス注入口と接続されており、
ガスは、前記幹部分管およびそれらの関連する枝管を介して、ならびに前記幹部分管とそれらを取り囲む前記加熱チャンバ注入口管との間に規定される通路を介して、前記加熱チャンバの中へ流れる、請求項１から９のいずれか１項に記載のピグ。
【請求項１１】
前記加熱チャンバに設けられる複数の環状のコイル状の加熱要素と、前記加熱チャンバに設けられる複数のバッフルとを備え、各バッフルは隣の加熱コイルの対の間に挟まれる、請求項１から１０のいずれか１項に記載のピグ。
【請求項１２】
前記ツリーディフューザの少なくともいくつかの枝管は、コイル状の環状の前記加熱要素の少なくとも１つのコイルの間に延在する、請求項１１に記載のピグ。
【請求項１３】
各バッフルは、中央ランドと、リムと、前記中央ランドから前記リムまで延在する複数のアームとを備え、
前記バッフルは、前記加熱チャンバのガス注入口端部から見たときに、隣のバッフルの前記アームが互いに対してオフセットされるように配置される、請求項１１または請求項１２に記載のピグ。
【請求項１４】
前記バッフルにおいて中央に配置される位置合わせされた開口部を通って延在するとともに、前記加熱チャンバのガス注入口端部に最も近いコイル状の前記加熱要素を除くコイル状の前記加熱要素の各々の中央開口部を通って延在する芯材を備える、請求項１１〜１３のいずれか１項に記載のピグ。
【請求項１５】
ダクトをライニングする方法であって、
請求項１から１４のいずれか１項に記載のピグを、前記ダクトに配置された織布ライナスリーブ内に少なくとも部分的に挿入することと、
前記ツリーディフューザを介して前記ピグの前記加熱チャンバに加圧ガスを送出することと、
前記加熱チャンバの前記加圧ガスを加熱することと、
加熱された前記加圧ガスを、前記ガス排出口を介して、前記ダクトの中のその位置で前記ライナスリーブに送出することにより、前記ライナスリーブの強化繊維の周りの前記ライナスリーブの熱可塑性材料を融解することと、
融解された前記熱可塑性材料を冷却して、前記ダクトに、熱可塑性マトリックスに包み込まれる前記強化繊維を備える剛性ライナを形成することと、を備える、方法。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
熱スタンピングラインにおいて、加熱炉から作り出されたブランクをセンタリングするセンタリングシステムであって、前記センタリングシステムは、
センタリングテーブルと、
前記センタリングテーブルに配置された状態で、前記ブランクの１以上の選択された領域を加熱する加熱システムを備える、センタリングシステム。
【請求項２】
加熱システムは、基礎部と、前記基礎部に配置された複数の加熱要素と、を備える、請求項１に記載のセンタリングシステム。
【請求項３】
さらに、前記基礎部を前記センタリングシステムに連結するための支持構造体を備える、請求項２に記載のセンタリングシステム。
【請求項４】
さらに床に前記基礎部を固定するためまたは天井からまたは壁から前記基礎部をつるすための支持構造体を備える、請求項２に記載のセンタリングシステム。
【請求項５】
前記加熱要素は、赤外線ヒータまたは誘導加熱器または抵抗ヒータまたはそれらの組み合わせである、請求項２乃至４のいずれか１項に記載のセンタリングシステム。
【請求項６】
前記加熱要素は、レーザヒータ、好ましくはダイオードレーザヒータである、請求項２乃至４のいずれか１項に記載のセンタリングシステム。
【請求項７】
加熱システムは、さらに加熱要素によって加熱された、少なくとも１つの接触要素を備え、前記少なくとも１つの接触要素は、前記ブランクと直接接触する、請求項２乃至５のいずれか１項に記載のセンタリングシステム。
【請求項８】
前記ブランクに直接接触する前記少なくとも１つの接触要素の温度は、８５０から１０００℃の範囲である、請求項７に記載のセンタリングシステム。
【請求項９】
前記加熱要素は、選択的にスイッチがオンにされるように構成されている、請求項２乃至８のいずれか１項に記載のセンタリングシステム。
【請求項１０】
前記加熱要素は、実質的に前記ブランクの前記選択された領域のみが加熱されるような方法で、前記センタリングテーブルに対して配置される、請求項２乃至８のいずれか１項に記載のセンタリングシステム。
【請求項１１】
加熱のために選択されない前記ブランクの１以上の領域を冷却するための冷却システムを備える、請求項１乃至１０のいずれか１項に記載のセンタリングシステム。
【請求項１２】
硬い領域と軟らかい領域を有する鋼部品を製造する方法であって、
前記軟らかい領域は、前記硬い領域よりも機械的強度が低く、
前記方法は、
加熱炉において、鋼ブランクを加熱するステップと、
加熱炉から下流に配置されたセンタリンテーブルに前記加熱ブランクをセンタリングするステップと、
前記ブランクがセンタリングテーブルにある状態で、前記加熱ブランクの１以上の選択された領域を加熱するステップであって、前記選択された領域は、前記硬い領域を形成するべき前記ブランクの領域であるステップと、
プレス工具に前記ブランクを移動するステップと、
前記プレス工具で前記ブランクを熱間成形するステップと、
前記硬い領域を形成するべき前記ブランクの前記選択された領域を焼き入れするステップと、を備える方法。
【請求項１３】
前記加熱炉において、前記ブランクを加熱するステップは、前記ブランクの前記鋼のＡｃ３温度より高く、前記ブランクを加熱するステップを備える、請求項１２に記載の方法。
【請求項１４】
前記ブランクの前記選択された領域を加熱するステップは、前記加熱炉の加熱温度より高く前記選択された領域を加熱するステップを備える、請求項１２または１３に記載の方法。
【請求項１５】
前記ブランクが前記センタリングテーブルにある状態で、前記ブランクの１以上の選択された領域を加熱するステップは、さらに加熱するために選択されていない前記ブランクの１以上の領域を冷却するための冷却システムを備える、請求項１２乃至１４のいずれか１項に記載の方法。
【請求項１６】
前記ブランクは、１５秒以下、好ましくは１０秒以下の期間、前記センタリングテーブルに残る、請求項１２乃至１５のいずれか１項に記載の方法。
【請求項１７】
加熱するために選択されていない前記ブランクの前記領域は、前記ブランクが前記プレス工具に移動されたとき、４５０℃から７００℃の範囲の温度を有する、請求項１２乃至１６のいずれか１項に記載の方法。
【請求項１８】
前記プレス成形工具において、前記ブランクの温度は、２５０℃以下、好ましくは、２００℃以下に減らされる、請求項１２乃至１７のいずれか１項に記載の方法。